(57)【特許請求の範囲】
【請求項１】
内容物が収容される収容空間、外部に向けて開口する外孔、前記収容空間に向けて開口する内孔、および前記外孔と前記内孔とを連通する連通空間が形成された容器本体と、
前記外孔を開閉する蓋体と、
外端部を前記外孔から前記容器本体の外部に突出させた状態で、前記連通空間内に回転可能に収容されたボール体と、
前記容器本体と前記蓋体との間の内部空間と、前記内孔と、の前記連通空間を通した連通を開放可能に遮断するシール部と、
前記連通空間の少なくとも一部を構成し、前記ボール体を支持する支持部材と、
を備え、
前記支持部材には、前記内孔が形成され、
前記収容空間の内側面のうち前記内孔と対向する部分には、凹部が形成されており、
前記凹部内には、前記支持部材の一部と前記ボール体の一部とのうちの少なくとも一方が位置することを特徴とする気密容器。
【請求項２】
前記蓋体は、前記蓋体が閉じた状態において前記ボール体の前記外端部を押圧する第１押圧部を有し、
前記シール部は、前記ボール体を支持し前記外孔と前記内孔との前記連通空間を通した連通を開放可能に遮断する内側シール部を含むことを特徴とする請求項１に記載の気密容器。
【請求項３】
前記シール部は、前記容器本体における前記外孔の開口周縁部に設けられた外側シール部を含み、
前記蓋体は、前記蓋体が閉じた状態において前記外側シール部を押圧する第２押圧部を有することを特徴とする請求項１または２に記載の気密容器。
【請求項４】
前記外側シール部は、弾性変形可能に構成されており、
前記第２押圧部は、前記蓋体が閉じた状態において、前記外側シール部を弾性変形させて前記ボール体に向けて押し付けていることを特徴とする請求項３に記載の気密容器。
【請求項５】
前記容器本体は、前記蓋体と対向する対向面を有し、
前記対向面の周縁部は、平面視において、外側に向かうに従って前記蓋体側に位置する曲面状であることを特徴とする請求項１から４のいずれか一項に記載の気密容器。
【発明の詳細な説明】
【技術分野】
【０００１】
本発明は、気密容器に関する。
【背景技術】
【０００２】
内容物を充填する凹部空間を備えた気密容器が知られている（例えば、特許文献１参照）。特許文献１の気密容器は、内容物の排出用スリットを有し凹部空間の全域を覆い隠すカバーを備えている。
【先行技術文献】
【特許文献】
【０００３】
【特許文献１】特開２００３−３１２７０１号公報
【発明の概要】
【発明が解決しようとする課題】
【０００４】
上記のような気密容器では、カバーが押圧されることで凹部空間（収容空間）内の内容物が排出用スリットを通してカバーの表面に排出される。これにより、使用者は、凹部空間内の内容物を取り出すことができる。しかし、上記のような気密容器の場合、凹部空間内の内容物の残量が少なくなると、内容物を取り出しにくくなる問題があった。
【０００５】
本発明は、上記問題点に鑑みて、残量が少なくなっても内容物を容易に取り出すことができる気密容器を提供することを目的の一つとする。
【課題を解決するための手段】
【０００６】
本発明の気密容器の一つの態様は、内容物が収容される収容空間、外部に向けて開口する外孔、前記収容空間に向けて開口する内孔、および前記外孔と前記内孔とを連通する連通空間が形成された容器本体と、前記外孔を開閉する蓋体と、外端部を前記外孔から前記容器本体の外部に突出させた状態で、前記連通空間内に回転可能に収容されたボール体と、前記容器本体と前記蓋体との間の内部空間と、前記内孔と、の前記連通空間を通した連通を開放可能に遮断するシール部と、を備えていることを特徴とする。
【０００７】
本発明の気密容器の一つの態様によれば、内孔から連通空間に収容空間内の内容物が流入し、連通空間内に配置されたボール体が内容物と接触し、ボール体の表面に内容物が付着する。この状態で、ボール体を回転させることで、ボール体における内容物が付着した表面を、ボール体のうち外孔を介して容器本体の外部に突出する外端部に移動させることができる。これにより、例えば、パフ等を介してボール体を回転させる場合、ボール体の表面に付着した内容物がパフ等に付着する。
【０００８】
上述したようにボール体を回転させることによって、収容空間内の内容物を外部に取り出すことができるため、収容空間内の内容物の残量が少なくなっても、内孔から連通空間に流入した内容物にボール体が接触していれば、ボール体を回転させることで内容物を外部に取り出すことができる。したがって、本実施形態によれば、残量が少なくなっても内容物を容易に取り出すことができる。
【０００９】
また、本発明の気密容器の一つの態様によれば、蓋体が閉じた状態において、シール部によって、容器本体と蓋体との間の内部空間と、内孔と、の連通空間を通した連通を遮断すれば、収容空間内の内容物が気化することを抑制できる。また、本発明の気密容器の一つの態様によれば、内孔および外孔を介して収容空間と外部とを繋ぐ連通空間にボール体が収容されているため、連通空間の内側面とボール体の表面との間を狭くできる。これにより、蓋体が開いて、連通空間を通した内部空間（気密容器の外部空間）と内孔との連通が開放された状態であっても、収容空間内の内容物が気化することを抑制できる。
以上により、収容空間に収容された内容物の減りが早くなったり、成分（濃度等）が変化したりすることを抑制できる。
【００１０】
前記蓋体は、前記蓋体が閉じた状態において前記ボール体の前記外端部を押圧する第１押圧部を有し、前記シール部は、前記ボール体を支持し前記外孔と前記内孔との前記連通空間を通した連通を開放可能に遮断する内側シール部を含む構成としてもよい。
【００１１】
この構成によれば、蓋体が閉じた状態においてボール体を内側シール部に押し付けて、連通空間をシールすることができる。これにより、蓋体が閉じた状態において、収容空間内の内容物が気化することをより抑制できる。したがって、蓋体が閉じた状態において、収容空間に収容された内容物の減りが早くなることをより抑制できる。また、ボール体が内側シール部に押し付けられることで、ボール体の回転を抑制できる。そのため、ボール体が回転して内容物が内孔から外孔に移動することを抑制できる。
【００１２】
前記シール部は、前記容器本体における前記外孔の開口周縁部に設けられた外側シール部を含み、前記蓋体は、前記蓋体が閉じた状態において前記外側シール部を押圧する第２押圧部を有する構成としてもよい。
【００１３】
この構成によれば、蓋体が閉じた状態において第２押圧部と外側シール部とを密着させて、容器本体と蓋体との間の内部空間と、外孔と、の間をシールすることができる。これにより、蓋体が閉じた状態において、収容空間内の内容物が気化することをより抑制できる。したがって、蓋体が閉じた状態において、収容空間に収容された内容物の減りが早くなることをより抑制できる。
【００１４】
前記外側シール部は、弾性変形可能に構成されており、前記第２押圧部は、前記蓋体が閉じた状態において、前記外側シール部を弾性変形させて前記ボール体に向けて押し付けている構成としてもよい。
【００１５】
この構成によれば、蓋体が閉じた状態において、ボール体の回転をより抑制することができ、ボール体が回転して内容物が内孔から外孔に移動することをより抑制できる。また、外側シール部によって、連通空間の内周面とボール体の表面との間の少なくとも一部をシールできるため、外孔と内孔との連通空間を通した連通をより好適に遮断できる。
【００１６】
前記容器本体は、前記蓋体と対向する対向面を有し、前記対向面の周縁部は、平面視において、外側に向かうに従って前記蓋体側に位置する曲面状である構成としてもよい。
【００１７】
この構成によれば、外孔から取り出された内容物が対向面上に漏れ出た場合であっても、内容物が対向面の周縁部よりも内側に留まり、対向面上から零れることを抑制できる。また、パフ等で内容物を取り出す場合に、パフ等を対向面の周縁部に沿って移動させることで、対向面上に漏れ出た内容物をパフ等によって拭い取りやすい。
【００１８】
前記連通空間の少なくとも一部を構成し、前記ボール体を支持する支持部材を備え、前記支持部材には、前記内孔が形成され、前記収容空間の内側面のうち前記内孔と対向する部分には、凹部が形成されており、前記凹部内には、前記支持部材の一部と前記ボール体の一部とのうちの少なくとも一方が位置する構成としてもよい。
【００１９】
この構成によれば、ボール体を収容空間の内側面に近づけて配置することができ、内容物の残量がより少なくなっても、ボール体によって内容物を取り出しやすい。これにより、収容空間内の内容物を、残量がより少なくなるまで容易に取り出すことができ、使い切りやすい。
【発明の効果】
【００２０】
本発明の一つの態様によれば、残量が少なくなっても内容物を容易に取り出すことができる気密容器が提供される。
【図面の簡単な説明】
【００２１】
【図１】蓋体が閉じた状態の第１実施形態の気密容器を示す平面図である。
【図２】蓋体が閉じた状態の第１実施形態の気密容器を示す図であって、図１におけるII−II断面図である。
【図３】蓋体が開いた状態の第１実施形態の気密容器を示す断面図である。
【図４】第１実施形態の気密容器が設置されたコンパクト容器を示す断面図である。
【図５】蓋体が閉じた状態の第２実施形態の気密容器を示す平面図である。
【図６】蓋体が閉じた状態の第２実施形態の気密容器を示すであって、図５におけるVI−VI断面図である。
【図７】蓋体が閉じた状態の第１実施形態の気密容器の変形例を示す断面図である。
【発明を実施するための形態】
【００２２】
以下、図面を参照しながら、本発明の実施形態に係る気密容器について説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００２３】
＜第１実施形態＞
本実施形態の気密容器１０は、図１および図２に示すように、容器本体１１と、ボール体１３と、蓋体１２と、を備える。容器本体１１には内容物Ｃ１が収容されている。ボール体１３は、回転可能に容器本体１１に保持されている。ボール体１３の一部は、内容物Ｃ１に接触し、ボール体１３の他の一部は、容器本体１１の外部に露出している。蓋体１２は、容器本体１１に対して回転軸Ｊ２周りに回動可能に取り付けられている。蓋体１２は、閉じた状態においてボール体１３を覆っている。以下、各部について詳細に説明する。
なお、以下の説明における蓋体１２と他の部材との位置関係および蓋体１２の各部同士の位置関係は、特に断りのない限り、蓋体１２が閉じた状態における位置関係とする。
【００２４】
容器本体１１は、図２に示すように、底部材２０と、カバー部材３０と、支持部材４０と、を有する。底部材２０は、有底の円筒状である。以下では、底部材２０の中心軸線（容器本体１１の中心軸線）を容器軸Ｊ１と呼び、容器軸Ｊ１に沿う方向を上下方向（Ｚ軸方向）と呼ぶ。上下方向に沿って蓋体１２側（＋Ｚ側）を上側と呼び、容器本体１１側（−Ｚ側）を下側と呼ぶ。容器軸Ｊ１は、回転軸Ｊ２に沿う方向と直交する。
【００２５】
また、回転軸Ｊ２に沿う方向を左右方向（Ｙ軸方向）と呼び、上下方向および左右方向の両方に直交する方向を前後方向（Ｘ軸方向）と呼ぶ。前後方向に沿って、容器軸Ｊ１に対する回転軸Ｊ２側（＋Ｘ側）を後側と呼び、その反対側（−Ｘ側）を前側と呼ぶ。また、上下方向から視た平面視において、容器軸Ｊ１を通り容器軸Ｊ１に直交する方向を径方向と呼ぶ。
【００２６】
底部材２０は、底板部２１と、筒部２２と、を有する。
底板部２１は、容器軸Ｊ１と同軸に配置された円板状である。底板部２１の上面２１ａの中央には、下側に窪む中央凹部（凹部）２１ｂが形成されている。底板部２１の上面２１ａの外周縁には、下側に窪み、全周に亘って延びる溝部２１ｃが形成されている。
筒部２２は、底板部２１の外周縁から上側に延びる円筒状である。筒部２２の内周面における上部には、径方向外側に窪む係合凹部２２ａが形成されている。係合凹部２２ａは、全周に亘って連続して延びている。
【００２７】
カバー部材３０は、底部材２０の上端開口を閉塞している。カバー部材３０は、天板部３２と、嵌合筒部３１と、外側保持筒部３３と、内側保持筒部３４と、一対の軸支持部３７と、軸部３８と、を有する。
天板部３２は、容器軸Ｊ１と同軸に配置された円板状である。天板部３２は、底部材２０の上端開口を覆っている。天板部３２の上面は、蓋体１２と対向する対向面３２ａである。対向面３２ａの周縁部は、平面視において、外側に向かうに従って蓋体１２側（＋Ｚ側）に位置する曲面状である。
【００２８】
天板部３２の中央には、天板部３２を上下方向に貫通する外孔３６が形成されている。外孔３６は、容器本体１１の外部に向けて開口している。図１に示すように、外孔３６の平面視形状は、容器軸Ｊ１と同軸に配置された円形状である。天板部３２における外孔３６の開口周縁部には、外側シール部３５が設けられている。外側シール部３５は、図２に示すように、径方向内側に向かって斜め上方に延びている。外側シール部３５は、容器軸Ｊ１と同軸に配置された円環状である。本実施形態において外側シール部３５は、弾性変形可能に構成されている。外側シール部３５の内周面３５ａは、容器軸Ｊ１と同軸に配置された円環状であり、ボール体１３の表面に沿った曲面状である。
【００２９】
嵌合筒部３１は、容器軸Ｊ１と同軸に配置され、天板部３２の外周縁から下側に延びる円筒状である。嵌合筒部３１は、底部材２０の筒部２２内に嵌合されている。嵌合筒部３１の下端部は、溝部２１ｃ内に嵌合されている。嵌合筒部３１は、フランジ部３１ａと、下側係合突起３１ｂと、上側係合突起３１ｃと、を有する。
【００３０】
フランジ部３１ａは、嵌合筒部３１の外周面の上部から径方向外側に突出する鍔状である。フランジ部３１ａは、容器軸Ｊ１と同軸に配置された円環状である。フランジ部３１ａの下面は、底部材２０の筒部２２の上端開口縁に接触している。
下側係合突起３１ｂは、嵌合筒部３１の外周面のうちフランジ部３１ａよりも下側に位置する部分から径方向外側に突出する。下側係合突起３１ｂは、筒部２２の係合凹部２２ａに係合されている。下側係合突起３１ｂは、全周に亘って連続して延びている。
上側係合突起３１ｃは、嵌合筒部３１の外周面におけるフランジ部３１ａよりも上側に位置する部分から径方向外側に突出する。上側係合突起３１ｃは、容器軸Ｊ１を径方向に挟む軸部３８の反対側（前側，−Ｘ側）に設けられている。
【００３１】
底部材２０の底板部２１と、カバー部材３０の天板部３２および嵌合筒部３１と、によって収容空間１４が形成されている。収容空間１４には、流動性を有する内容物Ｃ１が収容されている。内容物Ｃ１は、流動性を有していれば、液体であってもよいし、ゲル状であってもよいし、ゼリー状であってもよい。内容物Ｃ１は、例えば、揮発性の成分を含んでいる。内容物Ｃ１は、例えば、化粧品である。
【００３２】
外側保持筒部３３は、天板部３２の下面３２ｂから下側に突出し、容器軸Ｊ１と同軸に配置された円筒状である。外側保持筒部３３の内周面の下端部には、径方向内側に突出する係合突起３３ａが形成されている。
内側保持筒部３４は、天板部３２の下面３２ｂから下側に突出し、容器軸Ｊ１と同軸に配置された円筒状である。内側保持筒部３４は、外側保持筒部３３よりも径方向内側に位置する。内側保持筒部３４の下端は、外側保持筒部３３の下端よりも上側に位置する。
【００３３】
一対の軸支持部３７は、嵌合筒部３１から後側に突出する。一対の軸支持部３７は、図１に示すように、左右方向に間隔を空けて配置されている。
軸部３８は、回転軸Ｊ２と同軸に配置された円柱状である。軸部３８は、一対の軸支持部３７の左右方向の間に配置されている。軸部３８の両端は、それぞれ軸支持部３７に接続されている。
【００３４】
支持部材４０は、図２に示すように、天板部３２の下側に取り付けられている。支持部材４０は、取付部４１と、半球状部４２と、内側シール部４３と、を有する。取付部４１は、環状に形成され、外側保持筒部３３と内側保持筒部３４との径方向の間に嵌合されている。取付部４１の下端は、外側保持筒部３３の係合突起３３ａに上側から係合されている。これにより、支持部材４０がカバー部材３０に取り付けられている。
【００３５】
半球状部４２は、取付部４１の下端から下側に延びている。半球状部４２は、中空で上側に開口し、下側に張り出した半球状に形成されている。半球状部４２は、底板部２１の中央凹部２１ｂと対向して配置されている。半球状部４２の下端部は、中央凹部２１ｂ内に位置する。半球状部４２の上端は、内側保持筒部３４の下端と接触している。半球状部４２の下端中央には、半球状部４２を上下方向に貫通する内孔４４が形成されている。内孔４４は、収容空間１４に向けて開口している。内孔４４の平面視形状は、例えば、容器軸Ｊ１と同軸に配置された円形状である。内孔４４は、中央凹部２１ｂと対向している。本実施形態において内孔４４の下端部は、中央凹部２１ｂ内に位置する。
【００３６】
内側シール部４３は、半球状部４２の内側面における内孔４４の開口周縁部から上側に突出している。内側シール部４３は、容器軸Ｊ１と同軸に配置された円環状である。内側シール部４３は、ボール体１３のうち後述する連通空間１５内に配置された部分を支持している。本実施形態では、内側シール部４３は、ボール体１３の下端部を支持している。なお、内側シール部４３によって支持されるボール体１３の部分は、下端部でなくてもよい。
【００３７】
外側シール部３５の内周面３５ａと内側保持筒部３４の内周面と半球状部４２の内周面とによって、連通空間１５が形成されている。連通空間１５は、外孔３６と内孔４４とを連通している。連通空間１５は、略球状の空間である。連通空間１５内には、内孔４４を介して、収容空間１４内に収容された内容物Ｃ１が流入する。これにより、連通空間１５の下部には、内容物Ｃ１が収容されている。
【００３８】
ボール体１３は、連通空間１５内に回転可能に収容されている。ボール体１３は、球状である。ボール体１３の上端部（外端部）は、外孔３６から容器本体１１の外部に突出している。ボール体１３の上端部は、天板部３２の外側シール部３５よりも上側に突出している。ボール体１３の下部における表面は、連通空間１５内に収容された内容物Ｃ１と接触している。
【００３９】
蓋体１２は、外孔３６を開閉する。蓋体１２は、蓋体本体５０と、押圧部材７０と、嵌合部材６０と、を有する。蓋体本体５０は、蓋部５１と、筒部５３と、環状凸部５２と、軸受部５４と、留め部５５と、を有する。
蓋部５１は、図１に示すように、容器軸Ｊ１と同軸に配置された略円板状である。筒部５３は、図２に示すように、蓋部５１の外周縁から下側に突出する円筒状である。筒部５３は、容器軸Ｊ１と同軸に配置されている。
【００４０】
環状凸部５２は、蓋部５１の下面から下側に突出する。環状凸部５２は、容器軸Ｊ１と同軸に配置された円環状である。環状凸部５２の下端は、筒部５３の下端よりも上側に位置している。
軸受部５４は、筒部５３から後側に突出している。軸受部５４は、図１に示すように、左右方向に沿って延びる筒状である。軸受部５４は、一対の軸支持部３７の間に配置されている。軸受部５４は、図２に示すように、軸部３８に外嵌されている。軸受部５４は、図２に示す蓋体１２が閉じた状態において径方向外側に開口する開口部５４ａを有する。軸受部５４は、軸部３８に対して回転軸Ｊ２周りに回転可能である。これにより、蓋体１２は、容器本体１１に対して回転軸Ｊ２周りに開閉する。
【００４１】
留め部５５は、筒部５３から前側に突出している。留め部５５は、容器軸Ｊ１を径方向に挟む軸受部５４の反対側に設けられている。すなわち、留め部５５が突出する向きは、軸受部５４が突出する向きと逆向きである。留め部５５は、摘み部５６と、係合部５７と、を有する。
摘み部５６は、図２に示すように、筒部５３の外周縁に接続されている。摘み部５６は、上下方向と直交する板状である。摘み部５６の平面視形状は、図１に示すように、左右方向に長い略長方形状である。
【００４２】
係合部５７は、図２に示すように、摘み部５６の下面から下側に延びている。係合部５７は、筒部５３と接続されている。係合部５７は、摘み部５６の径方向外端よりも径方向内側に位置している。係合部５７の下端部には、径方向内側に突出する係合突起５７ａが設けられている。係合突起５７ａは、嵌合筒部３１の上側係合突起３１ｃに下側から係合している。係合部５７の下端は、嵌合筒部３１のフランジ部３１ａの上面と対向している。
【００４３】
押圧部材７０は、蓋部５１の下側に取り付けられている。押圧部材７０は、板部７１と、嵌合部７５と、押圧本体部７０ａと、を有する。板部７１は、容器軸Ｊ１と同軸に配置された円環板状である。板部７１の上面は、蓋部５１の下面と対向している。板部７１の径方向外端は、環状凸部５２よりも径方向外側に位置する。
嵌合部７５は、板部７１の上面から上側に突出する。嵌合部７５は、容器軸Ｊ１と同軸に配置された円環状である。嵌合部７５は、環状凸部５２内に嵌合されている。これにより、押圧部材７０は、蓋体本体５０に対して取り付けられている。
【００４４】
押圧本体部７０ａは、円環板状の板部７１の内縁から下側に突出して設けられている。押圧本体部７０ａは、筒部７２と、接触部７３と、を有する。
筒部７２は、容器軸Ｊ１と同軸に配置され、板部７１の内縁から下側に延びる円筒状である。筒部７２は、外孔３６よりも径方向外側に位置する。筒部７２は、平面視において、天板部３２の外側シール部３５の径方向外端と重なっている。
【００４５】
接触部７３は、筒部７２の下端に接続されている。接触部７３は、容器本体１１およびボール体１３と接触する部分である。接触部７３は、上側に凸となる椀状である。接触部７３の下面は、上側に窪みボール体１３と対向する球面状であり、ボール体１３の表面に沿っている。接触部７３は、第１押圧部７４と、第２押圧部７３ａと、を有する。
【００４６】
第１押圧部７４は、接触部７３の下面から下側に突出する。第１押圧部７４は、容器軸Ｊ１と同軸に配置された円環状である。第１押圧部７４は、外孔３６の外周縁よりも径方向内側に位置する。第１押圧部７４の下端は、蓋体１２が閉じた状態においてボール体１３に上側から接触する。第１押圧部７４は、蓋体１２が閉じた状態においてボール体１３の上端部（外端部）を下側に押圧する。
【００４７】
第２押圧部７３ａは、接触部７３の外周縁部である。第２押圧部７３ａは、蓋体１２が閉じた状態において外側シール部３５に上側から接触する。第２押圧部７３ａは、蓋体１２が閉じた状態において外側シール部３５を押圧する。これにより、第２押圧部７３ａと外側シール部３５の外周面とは、密着する。また、本実施形態では、外側シール部３５は弾性変形可能に構成されているため、第２押圧部７３ａによって押圧されることで、外側シール部３５は、弾性変形する。これにより、第２押圧部７３ａは、蓋体１２が閉じた状態において、外側シール部３５を弾性変形させてボール体１３に押し付ける。
【００４８】
嵌合部材６０は、筒部５３の径方向内側において蓋体本体５０に取り付けられている。嵌合部材６０は、容器軸Ｊ１と同軸に配置された円環状である。嵌合部材６０は、被挟持部６１と、外嵌部６２と、を有する。
被挟持部６１は、容器軸Ｊ１と同軸に配置された円環板状である。被挟持部６１は、環状凸部５２と筒部５３との径方向の間に位置する。被挟持部６１は、蓋部５１の下面と、押圧部材７０の板部７１における外周縁部の上面と、によって上下方向に挟持されている。これにより、嵌合部材６０は、蓋体本体５０に取り付けられている。
外嵌部６２は、被挟持部６１の外周縁から下側に延びている。外嵌部６２は、容器軸Ｊ１と同軸に配置された円筒状である。外嵌部６２の下端部は、天板部３２に外嵌されている。
【００４９】
蓋体１２が閉じた状態において、容器本体１１と蓋体１２との間には、内部空間１７が形成されている。内部空間１７は、押圧本体部７０ａの外周面を囲む円環状の空間である。内部空間１７は、押圧部材７０と天板部３２と嵌合部材６０とによって囲まれて構成されている。
気密容器１０は、内部空間１７と内孔４４との連通空間１５を通した連通を開放可能に遮断するシール部を備えている。本実施形態においてシール部は、上述した外側シール部３５および内側シール部４３を含む。
【００５０】
図１および図２に示すように、蓋体１２が閉じた状態においては、押圧部材７０の第１押圧部７４がボール体１３を下側に押圧することで、ボール体１３の下端部が内側シール部４３に押し付けられる。これにより、内側シール部４３によって、連通空間１５の内側面とボール体１３の表面との間がシールされ、外孔３６と内孔４４との連通空間１５を通した連通が遮断される。また、蓋体１２が閉じた状態において、第１押圧部７４によって内側シール部４３に押し付けられることで、ボール体１３の回転は抑制される。
【００５１】
また、押圧部材７０の第２押圧部７３ａが外側シール部３５を押圧することで、第２押圧部７３ａと外側シール部３５とが密着する。これにより、内部空間１７と外孔３６との間がシールされる。また、本実施形態では、蓋体１２が閉じた状態において、外側シール部３５は弾性変形して、ボール体１３に向けて押し付けられる。これにより、ボール体１３の回転がより抑制される。また、外側シール部３５によっても、連通空間１５の内側面とボール体１３の表面との間の少なくとも一部をシールすることができる。なお、外側シール部３５は、外側シール部３５が弾性変形してボール体１３に押し付けられた際に、外側シール部３５とボール体１３の表面との間のシールをより確実にできる構成としてもよい。この場合、外側シール部３５は、外孔３６と内孔４４との連通空間１５を通した連通を開放可能に遮断する内側シール部としても機能する。
以上のように、蓋体１２が閉じた状態においては、外側シール部３５と内側シール部４３とによって、内部空間１７と内孔４４との連通空間１５を通した連通が遮断される。
【００５２】
一方、図３に示すように、蓋体１２が開いた状態においては、第１押圧部７４および第２押圧部７３ａによるボール体１３および外側シール部３５の押圧状態が解除される。そのため、外側シール部３５は弾性変形した状態から復元し、外側シール部３５とボール体１３の表面との間にはわずかに隙間が生じる。また、第２押圧部７３ａと外側シール部３５とが離れるため、内部空間１７と外孔３６との間のシール状態も解除される。なお、蓋体１２が開いた状態においては、内部空間１７は、気密容器１０の外部空間に解放されている。また、ボール体１３の回転抑制が解除され、ボール体１３は回転可能な状態となる。
【００５３】
気密容器１０が図１から図３に示す状態に配置される場合、蓋体１２が開いた状態においても、ボール体１３の下端部は、ボール体１３の自重によって内側シール部４３と接触している。しかし、ボール体１３が回転可能な状態であるため、例えば、ボール体１３が回転する際、ボール体１３がわずかに浮き上がる等によって、内側シール部４３とボール体１３の表面との間にはわずかに隙間が生じる。
以上のように、蓋体１２が開いた状態においては、内側シール部４３および外側シール部３５によるシール状態が解除され、外孔３６と内孔４４との連通空間１５を通した連通が開放される。
【００５４】
次に、気密容器１０における内容物Ｃ１の取り出し方法について説明する。図３に示すように、蓋体１２が開いた状態において、例えば、パフＰ等をボール体１３に上側から押し付けて前後方向あるいは左右方向に動かすことで、ボール体１３を回転させることができる。ボール体１３の下端部は内容物Ｃ１と接触しているため、ボール体１３の下端部における表面には、内容物Ｃ１が付着している。ボール体１３における内容物Ｃ１が付着した表面が、ボール体１３の回転によって、ボール体１３のうち外孔３６を介して容器本体１１の外部に露出する上端部（外端部）に移動すると、ボール体１３の表面に付着した内容物Ｃ１がパフＰ等に付着する。このようにして、収容空間１４内の内容物Ｃ１を、内孔４４、連通空間１５、および外孔３６を介して、容器本体１１の外部に取り出すことができる。
【００５５】
なお、以下の説明においては、上述した内容物Ｃ１を取り出す機構を、取出機構１６と呼ぶ場合がある。取出機構１６は、天板部３２における外側シール部３５および外側シール部３５の周縁近傍と、外側保持筒部３３と、内側保持筒部３４と、支持部材４０と、ボール体１３と、によって構成されている。
【００５６】
本実施形態の気密容器１０は、例えば、図４に示すように、コンパクト容器１内に設置される。図示は省略するが、コンパクト容器１は、平面視矩形状の扁平容器である。コンパクト容器１は、底部材２と、蓋部材３と、仕切部材６と、を有する。
底部材２は、上側に開口する箱状である。図示は省略するが、底部材２の平面視形状は、前後方向（Ｘ軸方向）に長い長方形状である。底部材２の内部空間は、仕切部材６によって、前後方向に沿って２つの空間５，７に仕切られている。空間５には、パフＰが収納される。空間７には、気密容器１０が設置される。
【００５７】
底部材２は、上下方向に直交する底板部２ａと、底板部２ａの外縁から上側に延びる枠状の枠部２ｂと、を有する。底板部２ａにおける空間５を形成する部分には、底板部２ａを上下方向に貫通する複数の貫通孔２ｃが形成されている。貫通孔２ｃが形成されることで、コンパクト容器１内の通気性を向上できる。
【００５８】
底板部２ａには、貫通孔２ｄが形成されている。貫通孔２ｄは、空間７と上下方向に重なる。気密容器１０の下面の径方向外端部は、底板部２ａにおける貫通孔２ｄの周縁部に上側から接触している。気密容器１０の下面は、貫通孔２ｄを介してコンパクト容器１の外部に露出している。
蓋部材３は、底部材２の上側の開口を開閉可能である。図示は省略するが、蓋部材３は、底部材２に対して、ヒンジを介して開閉可能に取り付けられている。蓋部材３の下面には、鏡４が固定されている。
【００５９】
使用者は、コンパクト容器１の蓋部材３を開けた後に、気密容器１０の蓋体１２を開け、パフＰによって内容物Ｃ１を取り出すことができる。使用者は、コンパクト容器１に設置された気密容器１０の内容物Ｃ１が無くなった場合、内容物Ｃ１が無くなった気密容器１０をコンパクト容器１から取り外し、内容物Ｃ１が充填された新しい気密容器１０をコンパクト容器１に設置できる。
【００６０】
本実施形態の気密容器１０によれば、上述したようにボール体１３を回転させることによって、内容物Ｃ１を外部に取り出すことができる。そのため、収容空間１４内の内容物Ｃ１の残量が少なくなっても、内孔４４から連通空間１５に流入した内容物Ｃ１にボール体１３が接触していれば、ボール体１３を回転させることで内容物Ｃ１を外部に取り出すことができる。したがって、本実施形態によれば、残量が少なくなっても内容物Ｃ１を容易に取り出すことができる。
【００６１】
また、本実施形態によれば、連通空間１５には、内部空間１７と内孔４４との連通空間１５を通した連通を開放可能に遮断するシール部（内側シール部４３および外側シール部３５）が形成されている。そのため、蓋体１２が閉じた状態において、シール部によって内部空間１７と内孔４４との連通空間１５を通した連通を遮断すれば、内容物Ｃ１が揮発性を有していても、収容空間１４内の内容物Ｃ１が気化することを抑制できる。
【００６２】
また、本実施形態によれば、内孔４４および外孔３６を介して収容空間１４と外部とを繋ぐ連通空間１５にボール体１３が収容されているため、連通空間１５の内側面とボール体１３の表面との間を狭くできる。これにより、蓋体１２が開いて、連通空間１５を通した内部空間１７（気密容器１０の外部空間）と内孔４４との連通が開放された状態であっても、収容空間１４内の内容物Ｃ１が気化することを抑制できる。
以上により、収容空間１４に収容された内容物Ｃ１の減りが早くなったり、成分（濃度等）が変化したりすることを抑制できる。
【００６３】
本実施形態では、蓋体１２が第１押圧部７４を有するため、蓋体１２が閉じた状態においてボール体１３を内側シール部４３に押し付けて、連通空間１５をシールすることができる。これにより、蓋体１２が閉じた状態において、収容空間１４内の内容物Ｃ１が気化することをより抑制できる。したがって、蓋体１２が閉じた状態において、収容空間１４に収容された内容物Ｃ１の減りが早くなることをより抑制できる。また、ボール体１３が内側シール部４３に押し付けられることで、ボール体１３の回転を抑制できる。そのため、ボール体１３が回転して内容物Ｃ１が内孔４４から外孔３６に移動することを抑制できる。
【００６４】
また、本実施形態では、蓋体１２が第２押圧部７３ａを有するため、蓋体１２が閉じた状態において第２押圧部７３ａと外側シール部３５とを密着させて、容器本体１１と蓋体１２との間の内部空間１７と、外孔３６と、の間をシールすることができる。これにより、蓋体１２が閉じた状態において、収容空間１４内の内容物Ｃ１が気化することをより抑制できる。したがって、蓋体１２が閉じた状態において、収容空間１４に収容された内容物Ｃ１の減りが早くなることをより抑制できる。
【００６５】
また、例えば、外側シール部３５が設けられていない場合、連通空間１５における内側シール部４３よりも上側の部分に残留している内容物Ｃ１が気化し、外孔３６から漏れる虞がある。これに対して、本実施形態によれば、外側シール部３５は、外孔３６の開口周縁部に設けられている。そのため、連通空間１５における内側シール部４３よりも上側の部分に残留している内容物Ｃ１が気化することを抑制できる。したがって、内容物Ｃ１の減りが早くなることをより抑制できる。
【００６６】
また、本実施形態によれば、外側シール部３５は、弾性変形可能に構成されており、第２押圧部７３ａによってボール体１３に押し付けられる。そのため、蓋体１２が閉じた状態において、ボール体１３の回転をより抑制することができ、ボール体１３が回転して内容物Ｃ１が内孔４４から外孔３６に移動することをより抑制できる。また、外側シール部３５によって、連通空間１５の内周面とボール体１３の表面との間の少なくとも一部をシールできるため、外孔３６と内孔４４との連通空間１５を通した連通をより好適に遮断できる。
【００６７】
また、本実施形態によれば、容器本体１１は、蓋体１２と対向する対向面３２ａを有し、対向面３２ａの周縁部は、平面視において、外側に向かうに従って蓋体１２側に位置する曲面状である。そのため、取出機構１６によって取り出された内容物Ｃ１が対向面３２ａ上に漏れ出た場合であっても、液状の内容物Ｃ１が対向面３２ａの周縁部よりも内側に留まり、対向面３２ａ上から零れることを抑制できる。また、図３に示すようにパフＰ等で内容物Ｃ１を取り出す場合に、パフＰ等を対向面３２ａの周縁部に沿って移動させることで、対向面３２ａ上に漏れ出た内容物Ｃ１をパフＰ等によって拭い取りやすい。
【００６８】
また、本実施形態によれば、収容空間１４の内側面のうち内孔４４と対向する部分、すなわち本実施形態では底板部２１の上面のうち内孔４４と対向する部分に、中央凹部２１ｂが形成されている。中央凹部２１ｂ内には、ボール体１３を支持する支持部材４０の下端部が位置している。そのため、ボール体１３を底板部２１に近づけて配置することができ、内容物Ｃ１の残量がより少なくなっても、ボール体１３によって内容物Ｃ１を取り出しやすい。これにより、収容空間１４内の内容物Ｃ１を、残量がより少なくなるまで容易に取り出すことができ、使い切りやすい。
【００６９】
なお、シール部は、内部空間１７と内孔４４との連通空間１５を通した連通を開放可能に遮断できるならば、特に限定されず、内側シール部４３および外側シール部３５以外の構成であってもよい。また、シール部は、内側シール部４３および外側シール部３５以外に他のシール部を含んでいてもよいし、他のシール部のみからなる構成であってもよいし、内側シール部４３および外側シール部３５のいずれか一方のみからなる構成であってもよい。また、上述したように、弾性変形可能に構成された外側シール部３５の構成を、外側シール部３５の内周面３５ａとボール体１３の表面との間におけるシール性をより確実にできる構成として、外側シール部３５を内側シール部として機能させてもよい。また、外側シール部３５は、弾性変形しない構成であってもよい。
【００７０】
＜第２実施形態＞
第２実施形態は、第１実施形態に対して、取出機構が２つ設けられ、各取出機構を介して２種類の内容物を取り出せる点において異なる。なお、上記実施形態と同様の構成については、適宜同一の符号を付す等により説明を省略する場合がある。
【００７１】
本実施形態の気密容器１１０の容器本体１１１には、図５および図６に示すように、２つの取出機構として、第１取出機構１１６ａと、第２取出機構１１６ｂと、が設けられている。第１取出機構１１６ａと第２取出機構１１６ｂとは、容器軸Ｊ１を径方向に挟んで配置されている。第１取出機構１１６ａは、容器軸Ｊ１に対して前側に配置されている。第２取出機構１１６ｂは、容器軸Ｊ１に対して後側に配置されている。
【００７２】
第１取出機構１１６ａは、図６に示すように、内容物Ｃ１を取り出すための機構である。第２取出機構１１６ｂは、内容物Ｃ１と種類が異なる内容物Ｃ２を取り出すための機構である。第１取出機構１１６ａのその他の構成は、第１実施形態の取出機構１６の構成と同様である。第２取出機構１１６ｂのその他の構成は、第１実施形態の取出機構１６の構成と同様である。
【００７３】
容器本体１１１は、底部材１２０と、カバー部材１３０と、を有する。底部材１２０は、底板部１２１と、外側突出筒部１２３と、内側突出筒部１２４と、を有する。底板部１２１は、中央凹部２１ｂの代わりに、下側に窪む２つの凹部１２１ｂが形成されている点において、第１実施形態の底板部２１と異なる。２つの凹部１２１ｂは、第１取出機構１１６ａおよび第２取出機構１１６ｂと対向する位置にそれぞれ形成されている。
【００７４】
外側突出筒部１２３および内側突出筒部１２４は、底板部１２１から上側に突出する円筒状である。内側突出筒部１２４は、外側突出筒部１２３の内側に位置する。外側突出筒部１２３と内側突出筒部１２４とは、互いに同軸である。外側突出筒部１２３および内側突出筒部１２４は、平面視において第２取出機構１１６ｂを囲んでいる。内側突出筒部１２４の上端は、外側突出筒部１２３の上端よりも上側に位置する。
【００７５】
カバー部材１３０は、天板部１３２と、仕切壁部１３９と、を有する。天板部１３２は、外孔３６および外側シール部３５が、第１取出機構１１６ａおよび第２取出機構１１６ｂに対応して、それぞれ２つずつ設けられている。天板部１３２のその他の構成は、第１実施形態の天板部３２の構成と同様である。
【００７６】
仕切壁部１３９は、天板部１３２の下面から下側に突出する円筒状である。仕切壁部１３９は、図５に示すように、平面視において、第２取出機構１１６ｂを囲んでいる。仕切壁部１３９の下端は、図６に示すように、外側突出筒部１２３と内側突出筒部１２４との間に嵌合されている。仕切壁部１３９によって収容空間１４は、第１収容空間１１４ａと、第２収容空間１１４ｂと、に仕切られている。
【００７７】
第２収容空間１１４ｂは、仕切壁部１３９の内側の部分である。第２収容空間１１４ｂには、内容物Ｃ２が収容されている。第１収容空間１１４ａは、収容空間１４のうち第２収容空間１１４ｂ以外の部分である。第１収容空間１１４ａには、内容物Ｃ１が収容されている。図５に示すように、第１収容空間１１４ａは、第２収容空間１１４ｂよりも大きい。第１収容空間１１４ａは、第２収容空間１１４ｂを囲んでいる。
【００７８】
底部材１２０のその他の構成は、第１実施形態の底部材２０の構成と同様である。カバー部材１３０のその他の構成は、第１実施形態のカバー部材３０の構成と同様である。容器本体１１１のその他の構成は、第１実施形態の容器本体１１の構成と同様である。
【００７９】
気密容器１１０の蓋体１１２は、図６に示すように、押圧部材１７０を有する。押圧部材１７０は、２つの押圧本体部として、第１押圧本体部１７０ａと、第２押圧本体部１７０ｂと、を有する。第１押圧本体部１７０ａは、第１取出機構１１６ａにおいてボール体１３および外側シール部３５を押圧する。第２押圧本体部１７０ｂは、第２取出機構１１６ｂにおいてボール体１３および外側シール部３５を押圧する。
【００８０】
第１押圧本体部１７０ａのその他の構成は、第１実施形態の押圧本体部７０ａの構成と同様である。第２押圧本体部１７０ｂのその他の構成は、第１実施形態の押圧本体部７０ａの構成と同様である。気密容器１１０のその他の構成は、第１実施形態の気密容器１０の構成と同様である。
【００８１】
本実施形態によれば、第１収容空間１１４ａと第２収容空間１１４ｂとにそれぞれ異なる種類の内容物Ｃ１，Ｃ２を収容することができ、第１取出機構１１６ａと第２取出機構１１６ｂとによって、各内容物Ｃ１，Ｃ２を取り出すことができる。本実施形態の気密容器１１０においては、各内容物Ｃ１，Ｃ２は、別々に取り出すこともできるし、各内容物Ｃ１，Ｃ２を天板部１３２の上面で混合して取り出すこともできる。これにより、気密容器１１０の用途の幅を広くすることができる。
なお、本実施形態においては、取出機構が３つ以上設けられ、３種類以上の内容物を取り出し可能であってもよい。
【００８２】
なお、上記説明した各実施形態においては、内孔４４と対向する凹部（中央凹部２１ｂ、凹部１２１ｂ）内に支持部材４０の下端部が位置する構成としたが、これに限られない。内孔４４と対向する凹部内には、支持部材４０の一部とボール体１３の一部とのうちの少なくとも一方が位置していればよく、図７に示す気密容器２１０のようにボール体１３の下端部が位置する構成であってもよい。
【００８３】
気密容器２１０における容器本体２１１の支持部材２４０は、半球状部２４２を備える。半球状部２４２の下端は、図２に示した半球状部４２よりも上側に位置する。半球状部２４２の下端は、ボール体１３の下端よりも上側に位置し、かつ、外径が最大となるボール体１３の上下方向の中心よりも下側に位置する。このように、半球状部２４２の下端が、外径が最大となるボール体１３の上下方向の中心よりも下側に位置すれば、半球状部２４２の内周面に設けられた内側シール部４３によってボール体１３を支持可能である。支持部材２４０に支持されたボール体１３の下端部は、内孔４４を介して収容空間１４内に突出している。気密容器２１０においてボール体１３の下端部は、中央凹部２１ｂ内に位置する。
【００８４】
この構成によれば、ボール体１３をより底板部２１に近づけることができ、内容物Ｃ１の残量がより少なくなっても、ボール体１３によって内容物Ｃ１を取り出しやすい。これにより、収容空間１４内の内容物Ｃ１を、残量がより少なくなるまで容易に取り出すことができ、使い切りやすい。なお、支持部材２４０における半球状部２４２の下端部が、中央凹部２１ｂ内に位置してもよい。
【００８５】
また、上記説明した各実施形態においては、内孔４４にスポンジ等の含浸体を配置し、この含浸体を介して収容空間１４内の内容物Ｃ１が連通空間１５に流入するような構成としてもよい。この構成によれば、含浸体によって、過剰な内容物Ｃ１が収容空間１４から連通空間１５内に流入したり、連通空間１５内に流入した内容物Ｃ１が内孔４４から収容空間１４内に流出することを抑制できる。また、ボール体１３の下端を含浸体と接触させることで、含浸体に吸収された内容物Ｃ１を、含浸体からボール体１３の表面に付着させることができる。これにより、含浸体によって収容空間１４内の内容物Ｃ１を吸い上げて、ボール体１３の表面に付着させることができ、収容空間１４内の内容物Ｃ１の残量が少なくなった場合であっても、内容物Ｃ１をより取り出しやすくできる。なお、含浸体は、ボール体１３の下端が押し付けられて圧縮変形する構成であってもよい。また、含浸体は、内孔４４の内周面に固定されていてもよいし、底板部２１の上面に固定されていてもよい。
【００８６】
また、上記説明した各実施形態の気密容器に収容される内容物は、特に限定されず、化粧品以外の流動性を有する物質であってもよい。また、上記説明した各実施形態の気密容器の用途は、特に限定されず、コンパクト容器に設置される以外の用途に用いられてもよい。
また、上記説明した各構成は、相互に矛盾しない範囲内において、適宜組み合わせることができる。
【符号の説明】
【００８７】
１０，１１０…気密容器、１１，１１１…容器本体、１２，１１２…蓋体、１３…ボール体、１４…収容空間、１５…連通空間、１７…内部空間、２１ｂ…中央凹部（凹部）、３２ａ…対向面、３５…外側シール部、３６…外孔、４０，２４０…支持部材、４３…内側シール部、４４…内孔、７３ａ…第２押圧部、７４…第１押圧部、１２１ｂ…凹部、Ｃ１，Ｃ２…内容物
【図１】
0006715087.tif 000002
【図２】
0006715087.tif 000003
【図３】
0006715087.tif 000004
【図４】
0006715087.tif 000005
【図５】
0006715087.tif 000006
【図６】
0006715087.tif 000007
【図７】
0006715087.tif 000008